(57)【要約】【課題】プラント監視操作装置の外部にて、監視操作画面を確認することができる画面情報データベース製作装置を提供する。【解決手段】プラントを監視・操作するプラント監視操作装置１０２にて複数の監視操作画面を作成するために画面ＩＤごとの画面情報データベース１０３を製作する画面情報データベース製作装置１０１において、プラント監視操作装置１０２におけるシミュレーションを行うことができるシミュレータ処理部１と、画面情報データベース１０３を用いたシミュレータ処理部１の処理から監視操作画面と同一の画面ＩＤごとの監視操作画面を作成する描画生成処理部３とを備える。【選択図】図１
2013238952.tif 000002
【特許請求の範囲】
【請求項１】
プラントを監視・操作するプラント監視操作装置にて複数の監視操作画面を作成するために画面ＩＤごとの画面情報データベースを製作する画面情報データベース製作装置において、
上記プラント監視操作装置におけるシミュレーションを行うことができるシミュレータ処理部と、
上記画面情報データベースを用いた上記シミュレータ処理部の処理から上記監視操作画面と同一の画面ＩＤごとの監視操作画面を作成する描画生成処理部とを備えた画面情報データベース製作装置。
【請求項２】
上記画面情報データベースは、上記画面ＩＤに関連する関連画面ＩＤの情報を保持し、
上記描画生成処理部が作成した上記監視操作画面を表示する表示装置に表示された当該監視操作画面におけるタッチ位置のタッチ位置情報を判定する操作位置情報部を備え、
上記描画生成処理部は、上記操作位置情報部からのタッチ位置情報における当該監視操作画面の関連する関連画面ＩＤの監視操作画面を上記表示装置に表示して当該監視操作画面を展開する請求項１に記載の画面情報データベース製作装置。
【請求項３】
上記描画生成処理部に上記画面ＩＤの小さいものから順に上記監視操作画面を表示させて当該監視操作画面のハードコピーを作成して当該画面ＩＤとともに保持する保存処理部を備えた請求項１または請求項２に記載の画面情報データベース製作装置。
【発明の詳細な説明】
【技術分野】
【０００１】
この発明は、プラント監視操作装置の外部にて、監視操作画面を確認することにより画面情報データベースの妥当性を確認することができる画面情報データベース製作装置に関するものである。
【背景技術】
【０００２】
従来のプラント監視操作装置は、画面情報データベースを使用して画面を表示しプラント監視制御を実施するために、プラント監視操作装置自身に画面情報データベースを実装して表示している（例えば、特許文献１参照）。
【先行技術文献】
【特許文献】
【０００３】
【特許文献１】国際公開番号２０１０−１６１１３号公報（第８頁、および、図１）
【発明の概要】
【発明が解決しようとする課題】
【０００４】
従来、画面情報データベースを使用して画面を表示するプラント監視操作装置では、画面情報データベースに基づく描画生成処理を、プラント監視操作装置自身に実装して行っていたため、プラント監視操作装置にて監視操作画面を確認したり画面展開したりする必要があり、プラント監視操作装置以外にて監視操作画面の確認することができないという問題点があった。
【０００５】
この発明は上記のような課題を解決するためになされたものであり、画面情報データベースに基づいて監視操作画面を確認することにより画面情報データベースの妥当性を確認することができる画面情報データベース製作装置を提供することを目的とする。
【課題を解決するための手段】
【０００６】
この発明の画面情報データベース製作装置は、
プラントを監視・操作するプラント監視操作装置にて複数の監視操作画面を作成するために画面ＩＤごとの画面情報データベースを製作する画面情報データベース製作装置において、
上記プラント監視操作装置におけるシミュレーションを行うことができるシミュレータ処理部と、
上記画面情報データベースを用いた上記シミュレータ処理部の処理から上記監視操作画面と同一の画面ＩＤごとの監視操作画面を作成する描画生成処理部とを備えたものである。
【発明の効果】
【０００７】
この発明の画面情報データベース製作装置は、
プラントを監視・操作するプラント監視操作装置にて複数の監視操作画面を作成するために画面ＩＤごとの画面情報データベースを製作する画面情報データベース製作装置において、
上記プラント監視操作装置におけるシミュレーションを行うことができるシミュレータ処理部と、
上記画面情報データベースを用いた上記シミュレータ処理部の処理から上記監視操作画面と同一の画面ＩＤごとの監視操作画面を作成する描画生成処理部とを備えたので、
プラント監視操作装置の外部にて、監視操作画面を確認することにより画面情報データベースの妥当性を確認することができる。
【図面の簡単な説明】
【０００８】
【図１】この発明の実施の形態１の画面情報データベース製作装置の構成を示す図である。
【図２】この発明の実施の形態２の画面情報データベース製作装置の構成を示す図である。
【図３】図２に示した画面情報データベース製作装置の動作を示したフローチャートである。
【発明を実施するための形態】
【０００９】
実施の形態１．
以下、本願発明の実施の形態について説明する。図１はこの発明の実施の形態１における画面情報データベース製作装置およびプラント監視操作装置の構成を示す図である。図において、画面情報データベース製作装置１０１と、プラント監視操作装置１０２とはＬＡＮ１０にて接続されている。画面情報データベース製作装置１０１は、プラント監視操作装置１０２にて複数の監視操作画面を作成するために画面ＩＤごとの画面情報データベース１０３を製作するとともに、画面ＩＤに関連する監視操作画面の関連画面ＩＤの情報を製作する画面データベース生成処理部４と、プラント監視操作装置１０２におけるシミュレーションを行うことができるシミュレータ処理部１と、画面情報データベース１０３を用いたシミュレータ処理部１の処理から画面ＩＤごとの監視操作画面を作成し表示装置５に表示する描画生成処理部３と、表示装置５に表示された監視操作画面におけるタッチ位置のタッチ位置情報を判定する操作位置情報部２とを備える。
【００１０】
そして、描画生成処理部３は、操作位置情報部２からのタッチ位置情報における監視操作画面の関連する関連画面ＩＤの監視操作画面を表示装置５に表示して監視操作画面を展開する。また、プラント監視操作装置１０２は画面情報データベース製作装置１０１にて製作された画面情報データベース１０３を、ＬＡＮ１０を介して受信し、画面ＩＤごとに監視操作画面を作成して、プラントを監視・操作するものである。この際に作成される監視操作画面と、先に示した、画面情報データベース製作装置１０１にて作成される監視操作画面とは、画面ＩＤごとに実質同一のものが作成される。
【００１１】
次に、上記のように構成された実施の形態１の画面情報データベース製作装置の動作について説明する。まず、画面情報データベース製作装置１０１に必要なデータが入力され画面データベース生成処理部４により画面ＩＤごとの画面情報データベース１０３が製作される。またあわせて、画面ＩＤに関連する関連画面ＩＤ（リクエスト画面ＩＤ）の情報も製作される。次に、画面情報データベース１０３を用いてシミュレータ処理部１がシミュレーションを行い、画面ＩＤごとの監視操作画面を描画生成処理部３が作成する。次に、描画生成処理部３は作成したこの監視操作画面を表示装置５に表示しこれを確認する。このことにより、画面情報データベース製作装置１０１において、プラント監視操作装置１０２と実質同一の監視操作画面を表示することができ、この監視操作画面を確認し、画面情報データベース１０３が妥当であるか否かについての判断を、プラント監視操作装置１０２を用いずに行うことができる。
【００１２】
さらに、描画生成処理部３が作成した監視操作画面を表示する表示装置５に表示する。この監視操作画面において、任意の箇所をタッチすると、操作位置情報部２により、このタッチ位置のタッチ位置情報が判定される。そして、描画生成処理部３は、操作位置情報部２からのタッチ位置情報における監視操作画面の関連する関連画面ＩＤの監視操作画面を表示装置５に表示して監視操作画面を展開する。尚、この展開は、さらに表示された監視操作画面においても行うことができる。
【００１３】
上記のように構成された実施の形態１の画面情報データベース製作装置によれば、画面情報データベースに基づいた監視操作画面をプラント監視操作装置と同一に作成することができるため、画面情報データベースの妥当性についてプラント監視操作装置を用いることなく確認することができる。さらに、監視操作画面において関連する関連画面ＩＤの監視操作画面もプラント監視操作装置を用いることなく確認することができる。
【００１４】
実施の形態２．
上記実施の形態１では、監視制御画面の展開においてタッチ位置を判定して行う例を示したが、これに限られることはなく、本実施の形態２においては、画面ＩＤごとに自動で全監視制御画面のハードコピーを保存する場合について説明する。図２はこの発明の実施の形態２における画面情報データベース製作装置の構成を示す図、図３は図２に示した画面情報データベース製作装置の動作を示したフローチャートである。図において、上記実施の形態１と同様の部分は同一符号を付して説明を省略する。描画生成処理部３に画面ＩＤの小さいものから順に監視操作画面を表示装置５に表示させてこの監視操作画面のハードコピーを作成して画面ＩＤとともに保持する保存処理部６を備えている。
【００１５】
次に、上記のように構成された実施の形態２の画面情報データベース製作装置１０１の保存処理部６における画面ハードコピーの生成方法について図３を用いて説明する。まず、画面情報データベース１０３において画面ＩＤが一番小さい画面ＩＤ＝１の監視操作画面を描画生成処理部３により表示装置５に表示させる（図３のステップＳＴ０１）。次に、表示画面のハードコピーを画面ＩＤに関連づけて保存する(図３のステップＳＴ０２）。次に、現在の画面より大きい数の画面ＩＤを有する画面が画面情報データベース１０３に登録されているか否かを判断する（図２のステップＳＴ０３）。
【００１６】
次に、大きい数の画面ＩＤが存在しない場合（ＮＯ）には、処理を終了する。また、大きい数の画面ＩＤが存在する場合（ＹＥＳ）には、現在の画面ＩＤの次に大きい数の画面ＩＤの監視操作画面を描画生成処理部３により表示装置５に表示させる（図３のステップＳＴ０４）。次に、表示画面のハードコピーを画面ＩＤに関連づけて保存する(図３のステップＳＴ０５）。次に、全ての画面ＩＤのハードコピーを保存したか否かを判断する（図３のステップＳＴ０５）。次に、全ての画面ＩＤが保存されていない場合（ＮＯ）には、ステップＳＴ０３に戻り処理を繰り返す。また、全ての画面ＩＤが保存された場合には、処理を終了する。
【００１７】
上記のように構成された実施の形態２の画面情報データベース製作装置によれば、上記実施の形態１と同様の効果を奏するのはもちろんのこと、画面ＩＤごとに監視制御画面のハードコピーを自動で保管することができるため、画面情報データベースの確認エビデンスを準備する工数を削減することが可能となる。
【００１８】
尚、本発明は、その発明の範囲内において、各実施の形態を自由に組み合わせたり、各実施の形態を適宜、変形、省略することが可能である。
【符号の説明】
【００１９】
１  シミュレータ処理部、２  操作位置情報部、３  描画生成処理部、
４  画面データベース生成処理部、５  表示装置、６  保存処理部、
１０１  画面情報データベース製作装置、１０２  プラント監視操作装置。
【図１】
2013238952.tif 000003
【図２】
2013238952.tif 000004
【図３】
2013238952.tif 000005